【事件の表示】
　平成１０年特許願第　８４０１３号「オンライン手書き文章認識方法、認識装置及び記録媒体」拒絶査定不服審判事件〔平成１１年１０月１５日出願公開、特開平１１−２８２９６１〕について、次のとおり審決する。
【結　論】
　本件審判の請求は、成り立たない。
【理　由】
１．手続きの経緯・本願発明
　本願は、平成１０年３月３０日に出願されたものであって、平成１５年９月１９日に拒絶査定がされ、これに対し平成１５年１０月２４日に拒絶査定に対する審判請求がなされたものであり、その請求項１ないし９に係る発明は、平成１４年５月２日付けの手続補正によって補正された明細書及び図面の記載からみて、特許請求の範囲の請求項１ないし９に記載されたとおりのものと認められるところ、請求項９に係る発明（以下、「本願発明」という。）は、次のとおりのものである。
　
　「【請求項９】それぞれ入力された順に整列したストロークデータ列として手書きデータを作成する第１のステップと、
　前記第１のステップで作成された複数の手書きデータを、同じ手書きデータに属するストロークデータ間ではその順序を維持しながら、また、異なる手書きデータに属するストロークデータ間では相互のストロークの位置関係により順序を決定して結合して１つのストロークデータ列とする第２のステップと
　を含むオンライン手書き文章認識方法をコンピュータに実行させるためのプログラムを記録したコンピュータ読み取り可能な記録媒体。」
　
２．引用例
　原審が拒絶の理由に引用した特開平９−２５８７１６号公報（平成９年１０月３日出願公開。以下、「引用例１」という。）には、図面と共に次の各記載がある。
　
（ア）「【００１３】
【発明の実施の形態】本発明のストローク情報処理方法を用いた手書き情報処理端末の一実施の形態を図１乃至図８を用いて説明する。図１は、本発明のストローク情報処理方法を用いた手書き情報処理端末の機能ブロック図である。
【００１４】図１に於いて、１はストローク情報を含む手書き描画情報を入力する入力部、２は図示しない表示メモリが設けられ入力部１にて入力された描画情報や後述する制御部５からのメッセージ、記憶部４に記憶される描画情報（ストローク情報）を表示する表示部、３は入力部１より入力された描画情報の内ストローク情報に関する情報を一時格納し処理する為のストローク処理メモリ、４は入力部１で入力された描画情報やストローク処理メモリ３を用いて処理されたストローク情報を記憶する記憶部、５は入力部１、表示部２、ストローク処理メモリ３及び記憶部４を統括的に制御する主制御部である。ここで、入力部１は、具体的には透明な感圧型デジタイザや静電容量型デジタイザが用いられ、表示部２は、具体的にはカラーＬＣＤやモノクロＬＣＤが用いられ、表示部２上に入力部１が重畳して形成される表示一体型デジタイザとして用いられている。又、ストローク処理メモリ３は、具体的にはＲＡＭ等により構成され、記憶部４は、具体的にはハードディスクやフラッシュメモリ等の不揮発性メモリやバックアップ用電源を備えたＲＡＭ等により構成される。主制御部５は、具体的にはＣＰＵやＲＯＭにより構成され、ＲＯＭに記憶されている各制御用のプログラムに基づき制御を行っている。
【００１５】この様な構成に於いて、本発明のストローク情報処理について説明する。入力部１にてペン等により所望の描画入力が行われると、入力部１では、一定周期でサンプリングを行い、離散的なサンプリング座標情報に変換する。主制御部５は入力部１からのサンプリング座標をストローク情報としてストローク処理メモリ３に格納する。それと同時に、入力部１により入力されたサンプリング座標を表示部２の表示メモリに伝送し、表示部２にてサンプリング座標に基づき補間処理を施し連続的な線情報（ストローク情報）として表示する。従って、図８（ａ）に示す線情報（ペンストローク情報）が描画入力されると、表示部２には図８（ａ）が表示される。この描画で、Ｋ−Ｌ、Ｍ−Ｎの線情報が不要となった場合、即ち、Ｋ−Ｌ、Ｍ−Ｎの黒線情報を消去する場合、消去用ペン入力（消しゴム入力と称す）を選択し、図８（ｂ）に示す様に、ハッチングにより表した背景色と同色の白線情報（消しゴムストローク情報）をＫ−Ｌ、Ｍ−Ｎの黒線情報上に入力し、背景と同色の白線情報を描画する。その結果、図８（ｃ）に示す様に、Ｋ−Ｌ、Ｍ−Ｎ部分のみが消去された状態のものが描画されることとなる。更に、Ｋ−Ｎの線情報（ペンストローク情報）を追加した場合、図８（ｄ）に示す様に描画されることとなる。
【００１６】
この場合、ストローク処理メモリ３には、図２に示す様に黒ストローク情報Ａ−Ｂ、黒ストローク情報Ｃ−Ｄ、黒ストローク情報Ｅ−Ｆ、黒ストローク情報Ｇ−Ｈ、黒ストローク情報Ｉ−Ｊ、白ストローク（消しゴムストローク）情報Ｋ−Ｌ、白（消しゴムストローク）ストローク情報Ｍ−Ｎ、黒ストローク情報Ｋ−Ｎの順に１ストロークづつストローク情報が格納される。尚、１ストローク毎に、ストローク種別情報（線色、線太さ、線パターン等）及び端点から端点までの間を形成するサンプリング座標情報（端点の座標情報も含む）が記憶される。尚、ＰＬＩ(Pen Lift Indicator)は１ストロークの情報が終了を意味するものである
　なお、下線は、当審において附された。以下、同様。
　
（イ）「【００１７】
次に、表示部２に描画され、ストローク処理メモリに格納されている情報（図８（ｃ）参照）を記憶部４に記憶する処理について図３のフローチャートに従って説明する
【００１８】まず、ストローク処理メモリ３に記憶されているストローク情報（図２）を順次読出し、白ストローク情報（消しゴムストローク）が格納されているか否かを判断する。本実施の形態では、消しゴムストローク情報Ｋ−Ｌを検出することとなる。白ストローク情報が格納されていると判断した場合、Ｓ１００に於いて、ストローク処理メモリ３に記憶されているストローク情報（図２）に示す記憶情報から、消しゴムストローク情報を取込み、矩形領域を検出する。
【００１９】Ｓ１０１に於いて、ストローク処理メモリ３に記憶されているストローク情報（図２）に示す記憶情報から、消しゴムストロークが記憶される以前の最初のペンストローク情報を取込み、矩形領域とを検出する。Ｓ１０２に於いて、Ｓ１００にて検出した消しゴムストローク情報の矩形領域とペンストローク情報の矩形領域とが共有する領域を検出し、共有領域が存在する場合、Ｓ１０３に進み、共有領域が存在しない場合は、Ｓ１０９に進み、ストローク処理メモリ３に記憶されているストローク情報（図２）に示す記憶情報から、次のペンストローク情報を取込み、Ｓ１０２に戻る。
【００２０】Ｓ１０３に於いて、ペンストローク情報のサンプリング矩形領域と、消しゴムストローク情報のサンプリング矩形領域を検出する。　Ｓ１０４に於いて、Ｓ１０３にて検出した消しゴムサンプリング矩形領域とペンサンプリング矩形領域とが共有する領域を検出し、共有領域が存在する場合、Ｓ１０５に進み、共有領域が存在しない場合は、Ｓ１０９に進み、ストローク処理メモリ３に記憶されているストローク情報（図２）に示す記憶情報から、次のペンストローク情報を取込み、Ｓ１０２に戻る。
【００２１】Ｓ１０５に於いて、Ｓ１０４にて検出した共有領域のペンサンプリング矩形内のドット情報（サンプリング間にて補間されたドット情報 ）と、消しゴムサン プリング矩形内のドット情報（サンプリング間にて補間されたドット情報 ）と を検出する。Ｓ１０６に於いて、Ｓ１０５にて検出した消しゴムドット情報とペンドット情報とが共有する領域を検出し、共有領域が存在する場合、Ｓ１０７に進み、共有領域が存在しない場合は、Ｓ１０９に進み、ストローク処理メモリ３に記憶されているストローク情報（図２）に示す記憶情報から、次のペンストローク情報を取込み、Ｓ１０２に戻る。
【００２２】Ｓ１０７に於いて、ペンドット情報と消しゴムドット情報とが共有するドット情報をペンドット情報から削除する。Ｓ１０８に於いて、Ｓ１０７にて削除したデータに基づいて、ペンストローク情報を変更する。この変更する例として、図８のペンストローク情報Ｇ−Ｈと、消しゴムストローク情報Ｋ−Ｌを用いて説明すると、ペンストローク情報Ｇ−Ｈからストローク情報Ｋ−Ｌ部分が削除され、ペンストローク情報Ｇ−Ｋとペンストローク情報Ｌ−Ｈが新たに生成される。この時、ストローク処理メモリ３では、元のストローク情報とは別のエリアに消しゴムストローク部分を削除した新たなストローク情報（図４参照）が格納される。
【００２３】主制御部５は、１つの消しゴムストローク情報に対して処理が終了した場合、Ｓ１０８にて変更された新たなストローク情報を基づき、再度、ストローク処理メモリ３に記憶されている新たなストローク情報（図４）を順次読出し、白ストローク情報（消しゴムストローク）が格納されているか否かを判断し、Ｓ１００以降の処理を繰り返す。本実施の形態では、消しゴムストローク情報Ｍ−Ｎが検出されることとなる。
【００２４】
従って、図２のストローク情報を記憶部４に記憶する場合、以上の処理を行うと、図５に示す様に、消しゴムストローク情報（白ストローク情報）が削除された状態で記憶部４に記憶される。以上の処理を行うと、例えば、消しゴムストロークにて消去されたペンストローク部分にサンプリング座標が多く含まれる場合等、ストローク情報が削減され、且つ消しゴム情報も削除される為、従来の様に消しゴムストローク情報を記憶する場合に比べ、記憶部４の使用量が削減される。従って、記憶部４も相対的な記憶容量を少なくできるため、記憶部４を構成するためのメモリ関係のコストが削減され、更に、小型化及び軽量化が図れる
【００２５】
尚、本実施の形態では、ストローク情報を記憶部４に記憶する際に、消しゴムストローク情報を削除してして記憶しているが、全てのストローク情報を記憶部４に記憶し、この記憶部からストローク情報を読出し、表示部４に表示する際に、消しゴムストローク情報が重畳された部分を表示しない様にしても良い。これにより、表示部４の表示速度が向上する
【００２６】
又、本実施の形態では、消しゴムストローク情報を重畳してストローク情報を記憶部４に記憶すると、消しゴムストローク情報を除くペンストローク情報が記憶部４に記憶する様にしているが、消しゴムストローク情報を重畳した場合、表示部２ではペンストローク情報と消しゴムストローク情報とが重畳した部分をペンストローク情報の描画色とは異なる色（例えば、ペンストローク情報の描画色より薄い色）で表示する。この状態でストローク情報を記憶部４に記憶した場合は、消しゴムストローク情報を無効にし、又、ペンストローク情報の描画色とは異なる色で表示されている部分に再度消しゴムストローク情報を重畳した場合、ペンストローク情報の描画色とは異なる色で表示されている部分と消しゴムストローク情報とが重畳した部分を除くペンストローク情報が記憶部４に記憶する様にしても良い
　
（ウ）「【００２７】
次に、記憶部４に記憶されたストローク情報（図５）を表示部２にて再表示する場合について説明する
【００２８】従って、従来の技術に示す様に、入力されたストローク情報の描画を全て再現しすることはなく、表示速度を向上させることが出来る。更に、記憶されるストローク情報が少なくなる為、記憶や表示等の際、短時間でデータ伝送を行える。又、ストローク情報が少ない為、このストローク情報を図示しない通信処理部により、図示しない他端末に送信した場合にも、高速伝送が可能となることは云うまでもない。
【００２９】
又、図６に示す様に「私が１番」を描画入力しようとした時に、誤って「私を１番」と描画入力（図６（ａ））してしまい、その後、消しゴムストロークにより「を」を削除（図６（ｂ）、（ｃ））し、再度、「を」の部分に「が」を描画入力（図６（ｄ））した場合、ストローク処理メモリ３には、図７（ａ）に示すように、「私」を形成するペンストローク情報群と、「を」を形成するペンストローク情報群と、「１」を形成するペンストローク情報群と、「番」を形成するペンストローク情報群と、「を」を削除するための消しゴムストローク情報群と、「を」の位置に「が」を形成するペンストローク情報群が記憶されることになる。従って、上記の処理手順に基づいていて記憶を行うと、図７（ｂ）に示す様に、「私」を形成するペンストローク情報群と、「１」を形成するペンストローク情報群と、「番」を形成するペンストローク情報群と、「が」を形成するペンストローク情報群が記憶されることになり、再表示を行うと、「私」、「私　１」、「私　１番」、「私が１番」の順で表示されることになる。【００３０】この場合、表示の際に違和感があるため、「が」の表示順序を「私」と「１」との間に表示されるように、記憶部４に記憶する際に、図７（ｃ）に示す様に、ストローク情報の格納順序を入換えることにより、「私」、「私が」、「私が１」、「私が１番」の順序で表示する事ができ、表示の際の違和感を解消することが出来る。【００３１】尚、記憶部４に記憶する際に、予め規定された原点に近い座標を有するストローク情報から順次、記憶しても同様の効果を奏する。又、表示部４に表示する際に、予め規定された原点に近い座標を有するストローク情報から順次表示する様にしても同様の効果を奏することは云うまでもない。
　
（エ）「【００３２】
【発明の効果】本発明を用いると、請求項１では、ストローク情報が削減され、且つ消しゴム情報も削除される為、ストローク情報の管理制御が簡単になる。又請求項２では、ストローク情報が削減され、且つ消しゴム情報も削除される為、従来の様に消しゴムストローク情報を記憶する場合に比べ、記憶部の使用量が削減され、記憶部４も相対的な記憶容量を少なくできる為、記憶部を構成するためのメモリ関係のコストが削減され、更に、小型化及び軽量化が図れる。
【００３３】又、請求項３では、ストローク情報が削減され、且つ消しゴム情報も削除される為、表示部の表示速度が向上する。又、請求項４では、描画データが描画消去データにより一部消去されると、消去された部分の描画データの直前及び直後の描画データをストロークの端部としてストローク情報を管理する為、ストローク情報の管理制御が簡単になる。
【００３４】又、請求項５乃至７では、表示の際の違和感を解消することが出来る。　又、請求項８では、操作者の誤消去を防止することができる。」
　
　以上の記載から見て、引用例１には、次のような発明が記載されているものと認められる。
　
　「入力部１にてペンにより所望の描画入力を行うと、例えば、複数の黒ストローク情報が、図２に示す様に黒ストローク情報Ａ−Ｂ、黒ストローク情報Ｃ−Ｄ、黒ストローク情報Ｅ−Ｆ、黒ストローク情報Ｇ−Ｈ、黒ストローク情報Ｉ−Ｊのように、順に１ストロークづつ黒ストローク情報が座標情報等と共にストローク処理メモリ３に格納され、操作者がこの時点で入力間違いに気付きペンにより描画の削除入力を行うと、白ストローク（消しゴムストローク）情報Ｋ−Ｌ、白（消しゴムストローク）ストローク情報Ｍ−Ｎのように、順に１ストロークづつ白ストローク情報が座標情報等と共に続けてストローク処理メモリ３に格納され、更に、ペンにより所望の描画入力を続行すると、黒ストローク情報Ｋ−Ｎが続けてストローク処理メモリ３に座標情報等と共に格納され、
　次に、ストローク処理メモリ３に格納されているストローク情報の列を記憶部４に記憶する場合、消しゴムストローク情報（白ストローク情報）を読み込んだ時、消しゴムストローク矩形とペンストローク矩形との共有領域を調べ、共有領域がある場合には、互いに共有するペンドット情報を削除してストローク情報を変更し、共有部分がない場合、消しゴムストローク情報（白ストローク情報）を記憶部４に格納しないようにして、図５に示す様に消しゴムストローク情報（白ストローク情報）が削除された状態で記憶部４に記憶され、
　記憶部４に記憶された描画入力に対応するストローク情報を表示部に表示する時には、表示部には、校正された黒ストローク情報のみが素早く表示されるストローク情報処理方法。」
　
３．対比
　本願発明と引用例１に記載された発明とを対比すると、引用例１に記載された発明の「ペンストローク情報群」は、本願発明の「それぞれ入力された順に整列したストロークデータ列として手書きデータ」に相当することは、明らかである。
　
　そして、引用例１には、
(i)「【００１６】この場合、ストローク処理メモリ３には、図２に示す様に黒ストローク情報Ａ−Ｂ、黒ストローク情報Ｃ−Ｄ、黒ストローク情報Ｅ−Ｆ、黒ストローク情報Ｇ−Ｈ、黒ストローク情報Ｉ−Ｊ、白ストローク（消しゴムストローク）情報Ｋ−Ｌ、白（消しゴムストローク）ストローク情報Ｍ−Ｎ、黒ストローク情報Ｋ−Ｎの順に１ストロークづつストローク情報が格納される。尚、１ストローク毎に、ストローク種別情報（線色、線太さ、線パターン等）及び端点から端点までの間を形成するサンプリング座標情報（端点の座標情報も含む）が記憶される。尚、ＰＬＩ(Pen Lift Indicator)は１ストロークの情報が終了を意味するものである。」
との記載がなされており、この記載からみるに、引用例１に記載された発明は、手書きデータを、入力された順に整列したペンストローク情報群の列として作成し、ストローク処理メモリ３に格納しているから、本願発明と引用例１に記載された発明とは、
　「それぞれ入力された順に整列したストロークデータ列として手書きデータを作成する第１のステップ」
を有する点で差異はない。
　
　引用例１には、
(ii)「【００２４】従って、図２のストローク情報を記憶部４に記憶する場合、以上の処理を行うと、図５に示す様に、消しゴムストローク情報（白ストローク情報）が削除された状態で記憶部４に記憶される。以上の処理を行うと、例えば、消しゴムストロークにて消去されたペンストローク部分にサンプリング座標が多く含まれる場合等、ストローク情報が削減され、且つ消しゴム情報も削除される為、従来の様に消しゴムストローク情報を記憶する場合に比べ、記憶部４の使用量が削減される。従って、記憶部４も相対的な記憶容量を少なくできるため、記憶部４を構成するためのメモリ関係のコストが削減され、更に、小型化及び軽量化が図れる。」
(iii)「【００２９】又、図６に示す様に「私が１番」を描画入力しようとした時に、誤って「私を１番」と描画入力（図６（ａ））してしまい、その後、消しゴムストロークにより「を」を削除（図６（ｂ）、（ｃ））し、再度、「を」の部分に「が」を描画入力（図６（ｄ））した場合、ストローク処理メモリ３には、図７（ａ）に示すように、「私」を形成するペンストローク情報群と、「を」を形成するペンストローク情報群と、「１」を形成するペンストローク情報群と、「番」を形成するペンストローク情報群と、「を」を削除するための消しゴムストローク情報群と、「を」の位置に「が」を形成するペンストローク情報群が記憶されることになる。従って、上記の処理手順に基づいていて記憶を行うと、図７（ｂ）に示す様に、「私」を形成するペンストローク情報群と、「１」を形成するペンストローク情報群と、「番」を形成するペンストローク情報群と、「が」を形成するペンストローク情報群が記憶されることになり、再表示を行うと、「私」、「私　１」、「私　１番」、「私が１番」の順で表示されることになる。
【００３０】この場合、表示の際に違和感があるため、「が」の表示順序を「私」と「１」との間に表示されるように、記憶部４に記憶する際に、図７（ｃ）に示す様に、ストローク情報の格納順序を入換えることにより、「私」、「私が」、「私が１」、「私が１番」の順序で表示する事ができ、表示の際の違和感を解消することが出来る。」
との記載がなされており、これらの記載からみるに、引用例１に記載された発明は、
（第１段階）
　先ず、入力順に整列した４つのペンストローク情報群「私」、「を」、「１」、「番」から構成されるペンストローク情報群の列「私を１番」を、
（１）「私」：黒ストローク情報から成る第１番目のペンストローク情報群
（２）「を」：黒ストローク情報から成る第２番目のペンストローク情報群
（３）「１」：黒ストローク情報から成る第３番目のペンストローク情報群
（４）「番」：黒ストローク情報から成る第４番目のペンストローク情報群
の様にストローク処理メモリ３に格納し、
（第２段階）
　次に、間違って入力した第２番目のペンストローク情報群「を」白ストロークすなわち消しゴムストロークに置き換え、更にペンストローク情報群「を」の代わりに新たにペンストローク情報群「が」を入力して、
（１）「私」：黒ストローク情報から成るペンストローク情報群
（２）「を」：黒ストローク情報から成るペンストローク情報群
（３）「１」：黒ストローク情報から成るペンストローク情報群
（４）「番」：黒ストローク情報から成るペンストローク情報群
（５）「を」：白ストローク情報すなわち消しゴムストロークから成るペンストローク情報群
（６）「が」：黒ストローク情報から成るペンストローク情報群
の様に、更にペンストローク情報群５,６をストローク処理メモリ３に格納し、
（第３段階）
　次に、白ストローク情報から成るペンストローク情報群「を」削除して、
（１）「私」：黒ストローク情報から成るペンストローク情報群
（２）「１」：黒ストローク情報から成るペンストローク情報群
（３）「番」：黒ストローク情報から成るペンストローク情報群
（４）「が」：黒ストローク情報から成るペンストローク情報群
の様にペンストローク情報群１〜４を記憶部４に記憶し、
（第４段階）
　次に、ペンストローク情報群「を」があった位置に新たに入力されたペンストローク情報群「が」を格納して、
（１）「私」：黒ストローク情報から成る第１番目のペンストローク情報群
（２）「が」：黒ストローク情報から成る第２番目のペンストローク情報群
（３）「１」：黒ストローク情報から成る第３番目のペンストローク情報群
（４）「番」：黒ストローク情報から成る第４番目のペンストローク情報群
の様に記憶部４に記憶している。
　すなわち、引用例１に記載された発明は、第１段階に示されるように、(i)入力された順に整列したペンストローク情報群の列として、手書きデータの列を作成し、ストローク処理メモリ３に格納し、
(ii)次に、第３及び４段階に示されるように、同じ手書きデータに属するストローク情報群、例えば、「私」では、「私」を構成する複数のペンストローク情報の相互の順序関係を壊さずにそのまま維持して「私」を構成する複数のペンストローク情報を結合し、「私」の様な意味あるペンストローク情報群とし、(iii)異なる手書きデータ間、例えば、「私」、「１」、「番」、及び「が」間においては、相互の手書きデータのペンストロークの位置関係によりその順序を決定して、「私」、「が」、「１」、「番」の順に結合して、順序が校正された１つのペンストローク情報群のデータ列「私が１番」を作成し記憶することが記載されているから、本願発明と引用例１に記載された発明とは、
　「前記第１のステップで作成された複数の手書きデータを、同じ手書きデータに属するストロークデータ間ではその順序を維持しながら、また、異なる手書きデータに属するストロークデータ間では相互のストロークの位置関係により順序を決定して結合して１つのストロークデータ列とする第２のステップ」
を有する点で差異はない。
　なお、大きな文章を編集する際、文章単位で削除、追加、置換、挿入、並べ換え等を実行して文章を編集し、意味のある１つの大きな文章を自動的に作成すること、すなわち、同じ文章データに属する文字データ間では、文章を構成する文字の順序を維持しながら、また、異なる文章データに属する文字データ間では、相互の文章データの位置関係により文字の順序を決定して結合し１つの大きな文章データ列を作成することは、ワードプロセッサにおいては従来より行われている周知自明な手法である。そして、原審が拒絶の理由で引用した特開平７−２００７２３号公報においても、同じ手書きデータに属するひとかたまりのストロークデータについてはその順序を維持し、異なる手書きデータに属するストロークデータ間では相互の位置関係により順序を決定して１つの大きなストロークデータ列、例えば「問題は人」、を作成していることは、明白である。
　
　そうすると、本願発明と引用例１に記載された発明とは、
（一致点）
　「それぞれ入力された順に整列したストロークデータ列として手書きデータを作成する第１のステップと、
　前記第１のステップで作成された複数の手書きデータを、同じ手書きデータに属するストロークデータ間ではその順序を維持しながら、また、異なる手書きデータに属するストロークデータ間では相互のストロークの位置関係により順序を決定して結合して１つのストロークデータ列とする第２のステップと
　を含む方法。」
である点で一致し、次の点で相違する。
　
（相違点１）
　本願発明のカテゴリーは、「方法をコンピュータに実行させるプログラムを記録したコンピュータ読み取り可能な記録媒体」、すなわち「媒体発明」であるのに対し、引用例１に記載された発明のカテゴリーが、「方法発明」である点。
　
（相違点２）
　本願発明の処理方法は、手書き文章認識に用いられるのに対して、引用例１に記載された発明の処理方法が、手書き文章認識に用いられるとは明記されていない点。
　
４．当審の判断
（相違点１について）
　前記相違点１について判断するに、引用例１に記載された発明のカテゴリーを「媒体発明」に変え、それと同時に、発明の名称を「プログラムを記録したコンピュータ読み取り可能な記録媒体」に書き換えることは、当業者が適宜なし得ることである。
　
（相違点２について）
　前記相違点２について判断するに、手書き文字のストローク情報を適当に処理し、その処理結果を文章認識装置に入力して認識率を高めることは、本件請求人が提示した特開平７−１４００７号公報及び特開平７−２９６１０３号公報、そして、原審が拒絶の理由に引用した特開平７−２００７２３号公報及び特開平７−５７０５３号公報にその旨の記載があるように当業者には周知な技術事項であるから、引用例１に記載された発明のストローク情報処理方法による処理結果を周知の手書き文章認識装置に入力し、本願発明の如く構成することは、当業者が適宜なし得ることである。
　
５．むすび
　以上のとおり、本願発明は、引用例１に記載された発明及び周知技術に基づいて当業者が容易に発明をすることができたものであり、特許法第２９条第２項の規定により特許を受けることができないものであるから、他の請求項について検討するまでもなく、本願は特許を受けることができない。
　よって、結論のとおり審決する。